(57)【要約】【課題】相異なる機能を有した設備装置同士の外観の統一性を図り得る設備装置を提供する。【解決手段】設備装置１は、長手方向に見た断面形状が長手方向の全長に亘って一様な形状とされ、建物内外の取付対象面２に沿うように配設される長尺状のベース部材１０に設けられた収容凹所１１に、ベース部材１０の長手方向に沿う方向に見た外郭形状が互いに同形状とされ、それぞれに異なる機能を有する複数の機能部材２０，２０Ａ，２０Ｂのうちの少なくとも一つの機能部材２０，２０Ａ，２０Ｂを組み込んだ構成としている。【選択図】図１
2015019228.tif 000002
【特許請求の範囲】
【請求項１】
長手方向に見た断面形状が長手方向の全長に亘って一様な形状とされ、建物内外の取付対象面に沿うように配設される長尺状のベース部材に設けられた収容凹所に、当該ベース部材の長手方向に沿う方向に見た外郭形状が互いに同形状とされ、それぞれに異なる機能を有する複数の機能部材のうちの少なくとも一つの機能部材を組み込んだ構成としていることを特徴とする設備装置。
【請求項２】
請求項１において、
前記ベース部材の収容凹所は、当該ベース部材の短手方向に沿って前記機能部材を受入可能なように短手方向一方に向けて開口していることを特徴とする設備装置。
【請求項３】
請求項１または２において、
前記ベース部材の収容凹所は、前記取付対象面に沿うように配設される第１片部と該第１片部に直交状に形成された第２片部との隅部に、これら両片部に対して斜め状に形成され、前記機能部材が当接される傾斜面部を底部とし、該傾斜面部に直交する方向に開口していることを特徴とする設備装置。
【請求項４】
請求項３において、
前記機能部材は、前記ベース部材の長手方向に沿う方向に見た外郭形状が、前記傾斜面部に当接される底側面部を一辺とする概ね四角形状とされており、
前記ベース部材は、前記第１片部及び前記第２片部のそれぞれに直交状に形成された第３片部及び第４片部を有し、これら片部によって長手方向に見て概ね四角形状の外郭形状を構成し、前記収容凹所の開口側の隅部を除いた当該ベース部材の三隅部のうちの少なくとも一つには、前記機能部材を保持する保持部、配線スペース及び当該ベース部材を取付対象面に取り付ける取付部のうちの少なくとも一つが設けられていることを特徴とする設備装置。
【請求項５】
請求項４において、
前記ベース部材の第１片部に直交状に形成された第３片部に前記取付部としての止具孔が設けられており、
前記ベース部材と前記取付対象面との間に配設され、該取付対象面に沿って固定される固定片部と、該固定片部に連成され、前記第３片部の内側面に沿わせられて前記止具孔を介して止着される止具によって前記第３片部と締結される取付片部と、を有した取付部材を更に備えていることを特徴とする設備装置。
【発明の詳細な説明】
【技術分野】
【０００１】
本発明は、建物内外に配設される設備装置に関する。
【背景技術】
【０００２】
従来より、建物内外の取付対象面に沿うように配設され、種々の機能を有する設備装置が知られている。
例えば、下記特許文献１では、建物内空間の入隅に沿って配設される筒体にスピーカーを取り付けたスピーカーシステムが提案されている。
【先行技術文献】
【特許文献】
【０００３】
【特許文献１】特開２００７−３３６３９１号公報
【発明の概要】
【発明が解決しようとする課題】
【０００４】
ところで、建物内外には、スピーカーに限られず、照明やカメラ等の種々の異なる機能を有した複数の設備装置が適所に配設されるが、これらはそれぞれに異なる筐体に収納されて外観が大きく異なることが一般的であり、更なる改善が望まれる。
【０００５】
本発明は、上記実情に鑑みてなされたものであり、相異なる機能を有した設備装置同士の外観の統一性を図り得る設備装置を提供することを目的としている。
【課題を解決するための手段】
【０００６】
上記目的を達成するために、本発明に係る設備装置は、長手方向に見た断面形状が長手方向の全長に亘って一様な形状とされ、建物内外の取付対象面に沿うように配設される長尺状のベース部材に設けられた収容凹所に、当該ベース部材の長手方向に沿う方向に見た外郭形状が互いに同形状とされ、それぞれに異なる機能を有する複数の機能部材のうちの少なくとも一つの機能部材を組み込んだ構成としていることを特徴とする。
【０００７】
本発明においては、前記ベース部材の収容凹所を、当該ベース部材の短手方向に沿って前記機能部材を受入可能なように短手方向一方に向けて開口させたものとしてもよい。
また、本発明においては、前記ベース部材の収容凹所を、前記取付対象面に沿うように配設される第１片部と該第１片部に直交状に形成された第２片部との隅部に、これら両片部に対して斜め状に形成され、前記機能部材が当接される傾斜面部を底部とし、該傾斜面部に直交する方向に開口させてもよい。
また、本発明においては、前記機能部材を、前記ベース部材の長手方向に沿う方向に見た外郭形状が、前記傾斜面部に当接される底側面部を一辺とする概ね四角形状とされたものとし、前記ベース部材を、前記第１片部及び前記第２片部のそれぞれに直交状に形成された第３片部及び第４片部を有したものとし、これら片部によって長手方向に見て概ね四角形状の外郭形状を構成し、前記収容凹所の開口側の隅部を除いた当該ベース部材の三隅部のうちの少なくとも一つに、前記機能部材を保持する保持部、配線スペース及び当該ベース部材を取付対象面に取り付ける取付部のうちの少なくとも一つを設けたものとしてもよい。
また、本発明においては、前記ベース部材の第１片部に直交状に形成された第３片部に前記取付部としての止具孔を設けた構成とし、前記ベース部材と前記取付対象面との間に配設され、該取付対象面に沿って固定される固定片部と、該固定片部に連成され、前記第３片部の内側面に沿わせられて前記止具孔を介して止着される止具によって前記第３片部と締結される取付片部と、を有した取付部材を更に備えていてもよい。
【発明の効果】
【０００８】
本発明に係る設備装置は、上述のような構成としたことで、相異なる機能を有した設備装置同士の外観の統一性を図ることができる。
【図面の簡単な説明】
【０００９】
【図１】本発明の一実施形態に係る設備装置の一例を模式的に示す概略分解斜視図である。
【図２】同設備装置の一例を模式的に示す概略斜視図である。
【図３】（ａ）は、図２におけるＸ−Ｘ矢視に対応させた一部破断概略縦断面図、（ｂ）は、（ａ）に対応させた一部破断概略分解縦断面図である。
【発明を実施するための形態】
【００１０】
以下に本発明の実施の形態について、図面に基づいて説明する。
図１〜図３は、本実施形態に係る設備装置の一例を模式的に示す図である。
なお、一部の図では、他図に付している詳細な符号の一部を省略している。
また、以下の実施形態では、設備装置を設置した状態を基準として、上下方向等の方向を説明する場合がある。
【００１１】
本実施形態に係る設備装置１は、図１及び図２に示すように、建物内外の取付対象面２に沿うように配設される長尺状のベース部材１０に設けられた収容凹所１１に、少なくとも一つの機能部材２０，２０Ａ，２０Ｂを組み込んだ構成としている。
本実施形態では、設備装置１は、単一のベース部材１０の収容凹所１１に、長手方向に沿って隣接させるように複数（図例では、３つ）の機能部材２０，２０Ａ，２０Ｂを組み込んだ構成とされている。
【００１２】
また、図３（ａ）に示すように、取付対象面２を、住居等の建物内の壁面２とし、天井面３との入隅部の長手方向に沿うように設備装置１を配設した例を示している。なお、壁面２と天井面３との入隅部に沿って配設する態様に限られず、壁面２の上下方向途中部位等に配設するようにしてもよい。また、取付対象面２としては、壁面２に限られず、建物内の天井面３や、床面、窓枠、家具の外周面や内周面等としてもよく、さらには、建物外の外壁や軒天、屋根、門柱、門扉、塀等、その他の外廻り構築物等としてもよい。その他、当該設備装置１の取付対象面２としては、建物の内装及び外装を構成する種々のものとしてもよい。
また、建物内外の取付対象面２に複数の設備装置１を直列状に隣接させて配設するようにしてもよい。また、これら複数の設備装置１の長手方向端部同士を当接させて配設するようにしてもよく、互いに長手方向に間隔を空けて配設するようにしてもよい。また、設備装置１の配設態様としては、長手方向を水平に沿わせて横型状に配設する態様に限られず、長手方向を上下に沿わせて縦型状に配設したり、斜め状に配設したりするようにしてもよい。
【００１３】
当該設備装置１のベース部材１０に組み込まれる機能部材２０，２０Ａ，２０Ｂは、本実施形態では、それぞれに異なる機能を有するものとされている。これら機能部材２０，２０Ａ，２０Ｂが有する機能としては、建物内外に必要に応じて、また、趣向に応じて配設される種々の内廻り及び外廻りの設備装置１に設けられるべき機能としてもよい。例えば、照明や、インターホン、スピーカー、カメラ（撮像）、録画、集音、録音、通信、表示、火災警報、防犯警報、地震検知、人体検知、照度検知、臭い検知、埃検知、消臭や調湿等を含む空調、電源、基板、差込接続、端子接続、スペーサー（つまりは単なる詰め物）等の種々の機能が挙げられる。また、各機能部材２０，２０Ａ，２０Ｂのそれぞれが単独の機能を有したものとしてもよく、複数の異なる機能を有したものとしてもよい。
【００１４】
このように種々の機能を有した機能部材２０，２０Ａ，２０Ｂは、ベース部材１０の収容凹所１１に組み込み可能なように、ベース部材１０の長手方向に沿う方向に見た外郭形状が互いに同形状とされている。また、本実施形態では、機能部材２０，２０Ａ，２０Ｂの外郭形状を、ベース部材１０の長手方向に沿う方向に見て概ね四角形状としている。
また、本実施形態では、複数の機能部材２０，２０Ａ，２０Ｂを、照明機能を有する照明機能部材２０と、人体検知及び照度検知機能を有する検知機能部材２０Ａと、カメラ（撮像）機能を有するカメラ機能部材２０Ｂと、からなるものとしている。つまり、本実施形態に係る設備装置１は、照明装置及びカメラ装置として少なくとも機能する多機能装置とされている。
【００１５】
また、本実施形態では、ベース部材１０長手方向に沿う寸法が長尺状とされた機能部材２０，２０Ａ，２０Ｂを例示しているが、このような態様に限られない。また、これら機能部材２０，２０Ａ，２０Ｂのベース部材１０の長手方向に沿う方向に見た外郭形状は、互いに同形状である。そのため、以下では共通する構成については、照明機能部材２０を例にとって説明し、他の機能部材２０Ａ，２０Ｂについては同一の符号を付してその説明を省略または簡略に説明する。
照明機能部材２０は、図１及び図３に示すように、照明機能を有する機能部２９と、機能部２９を収容する機能凹所２２が設けられたケース部２１と、ケース部２１の機能凹所２２の開口側を覆うカバー部２７と、を備えている。本実施形態では、ケース部２１とカバー部２７とによって、照明機能部材２０の外郭を構成している。
【００１６】
ケース部２１は、ベース部材１０の長手方向に沿う方向に見た外郭形状が概ね四角形状とされている。
また、このケース部２１の機能凹所２２が設けられた部位のベース部材１０の長手方向に沿う方向に見た断面形状は、一方向に向けて開口する略コ字状（略Ｕ字状または略Ｃ字状）とされている。
また、本実施形態では、ケース部２１は、ベース部材１０に組み込まれた状態で、後記する収容凹所１１の底部を構成する傾斜面部１６に当接される底側面部２３を有している。
【００１７】
ケース部２１は、この底側面部２３と、これに直交状に形成された両側の側面部（一方側面部２４及び他方側面部２５）２４，２５と、によって上記一方向に向けて開口する機能凹所２２を区画している。また、本実施形態では、底側面部２３と一方側面部２４との角部及び底側面部２３と他方側面部２５との角部を、各面部２３，２４，２５の外側面とのなす角度が１３５度となるような傾斜面としている。つまり、これら両側の角部の傾斜面同士を互いに直交状となるように形成している。なお、ケース部２１には、機能凹所２２のベース部材１０の長手方向に沿う方向の両端部を区画する両端面部が設けられている。
【００１８】
また、照明機能部材２０には、当該照明機能部材２０をベース部材１０に保持させる被保持部２６が設けられている。本実施形態では、ケース部２１のベース部材１０の長手方向に沿う方向の両端部に、被保持部２６，２６を設けている。図例では、これら被保持部２６，２６を、ケース部２１の開口方向に沿って延びるボス状部２６，２６とした例を示している。これらボス状部２６，２６は、ケース部２１の反開口側面がケース部２１の底側面部２３と同一平面状となるように形成されている。また、これらボス状部２６，２６には、ケース部２１の反開口側面において開口する止具４の止着穴がそれぞれに設けられている。
【００１９】
カバー部２７は、板状に形成され、機能凹所２２の開口を覆うように取り付けられる。このカバー部２７は、図１及び図２に示すように、ベース部材１０の長手方向に沿う寸法が、ケース部２１のベース部材１０の長手方向に沿う寸法と同寸法とされている。また、長尺板状とされたカバー部２７の短手寸法を、ケース部２１の両側の側面部２４，２５の外側面間の寸法よりも大きく形成している。これにより、本実施形態では、カバー部２７の短手方向両側端部に、ケース部２１の両側の側面部２４，２５よりも短手方向外方に向けて突出する鍔部２８，２８を設けた構成とされている。また、これら鍔部２８，２８の突出方向先端部を、ケース部２１側に向けて折り曲げられたような斜片部としている。これら斜片部は、これら以外のカバー部２７とのなす角度が１３５度となるように、つまり、これら両側の斜片部同士を互いに直交状となるように形成している。
【００２０】
なお、このカバー部２７のケース部２１への取付態様としては、接着剤や粘着テープ等の粘着材によって取り付ける態様としてもよい。または、カバー部２７及びケース部２１の両方または一方に係合部を設け、ケース部２１に対して嵌め込むようにカバー部２７を取り付け可能とした態様としてもよい。
また、照明機能部材２０のカバー部２７には、機能部２９からの光を透過させる透光部が設けられている。この透光部は、機能部２９の態様等に応じて、カバー部２７の適宜部位に設けるようにしてもよく、また、カバー部２７の大半に亘って設けるようにしてもよい。
【００２１】
機能部２９は、照明機能を構成する発光部や光源等を備えている。このような照明機能部２９としては、例えば、長手方向両端部または一端部に、ＬＥＤ等の光源を有した基板を設け、この基板の光源からの光を導光し出射する発光部としての棒状の導光体を備えたエッジライト方式（導光方式）のＬＥＤユニット等としてもよい。
なお、照明機能部２９としては、このような態様に限られず、例えば、ケース部２１の長手方向に沿って長尺とされた略帯板状の基板に、複数の光源としてのＬＥＤ等を長手方向に沿って間隔を空けて設けたものとしてもよい。また、照明機能部２９の光源としては、ＬＥＤ等の発光素子に限られず、蛍光管等を光源として設けるようにしてもよい。
【００２２】
また、照明機能部材２０を組み込んだ設備装置１は、建物内において、主照明や補助照明、手元照明等として機能するものとしてもよく、また、間接照明として機能するものとしてもよい。また、照明機能部材２０を組み込んだ設備装置１は、建物外において、外灯や玄関灯、防犯警告灯等として機能するものとしてもよい。
また、照明機能部材２０のＯＮ／ＯＦＦや調光等をするための操作部等を、照明機能部材２０の適所に設けるようにしてもよく、操作部として無線式（ワイヤレス式）の操作部を備えたものとしてもよい。
【００２３】
検知機能部材２０Ａは、本実施形態では、照明機能部材２０よりもベース部材１０の長手方向に沿う寸法が小さく形成されている。この検知機能部材２０Ａのケース部２１には、図示は省略しているが、人体検知機能及び照度検知機能を有する機能部が収容されている。また、この検知機能部材２０Ａのカバー部２７Ａには、機能部の検知部等を露出させる開口や透光部等が適宜、設けられている。なお、この検知機能部材２０Ａが有する人体検知機能及び照度検知機能の検知に基いて、照明機能部材２０の照明機能部２９のＯＮ／ＯＦＦ制御等がなされるものとしてもよい。
【００２４】
カメラ機能部材２０Ｂは、本実施形態では、照明機能部材２０よりもベース部材１０の長手方向に沿う寸法が小さく形成されている。このカメラ機能部材２０Ｂのケース部２１には、図示は省略しているが、カメラ機能を有する撮像部等の機能部が収容されている。また、このカメラ機能部材２０Ｂのカバー部２７Ｂには、機能部の撮像部等を露出させる開口や透光部等が適宜、設けられている。なお、上記した検知機能部材２０Ａが有する人体検知機能の検知に基いて、当該カメラ機能部材２０Ｂの機能部のＯＮ／ＯＦＦ制御等がなされるものとしてもよい。
【００２５】
なお、ケース部２１の適所に、配線を通すための通線孔等を設けてもよい。
また、図例では、ケース部２１とカバー部２７とを別体とした例を示しているが、これらが一体的に形成されたものとしてもよい。この場合は、適宜、ベース部材１０の長手方向に沿う方向の一端部等から機能部２９等の組み込みを可能とした構成としてもよい。
また、これら複数の機能部材２０，２０Ａ，２０Ｂのそれぞれに必要となる制御部等を設けた基板や電源部等を、それぞれに設けるようにしてもよく、または、これらのうちのいずれかを、基板や電源部等を設けた制御機能部材として把握するようにしてもよい。
また、当該設備装置１に組み込まれる機能部材２０，２０Ａ，２０Ｂとしては、上記のようなものに限られず、その他の機能を有した機能部材としてもよい。また、複数の機能部材２０，２０Ａ，２０Ｂを組み込んだ態様に限られず、単一の機能部材を組み込んだ態様としてもよい。この場合は、機能部材２０（２０Ａ，２０Ｂ）とベース部材１０とを互いに概ね同長さ寸法としてもよい。
また、以下では、機能部材２０，２０Ａ，２０Ｂの区別が不要な場合には、単に機能部材２０として説明する場合がある。
【００２６】
ベース部材１０は、図１に示すように、長手方向に見た断面形状が長手方向の全長に亘って一様な形状とされている。
このベース部材１０の長さ寸法は、配設場所や取扱性、施工性等の観点から適宜、設定するようにしてもよい。例えば、設備装置１を、上述のように、入隅部に沿って配設する場合には、ベース部材１０の長さ寸法を、一般的な廻縁や幅木等の造作材と同程度の長さ寸法としてもよく、９００ｍｍ〜３０００ｍｍ程度としてもよい。
また、ベース部材１０には、機能部材２０を露出させる開口が短手方向の一方に向けて開口するように設けられている。
【００２７】
本実施形態では、図３（ｂ）に示すように、ベース部材１０の収容凹所１１を、当該ベース部材１０の短手方向に沿って機能部材２０を受入可能なように短手方向の一方に向けて開口させている。つまり、ベース部材１０は、長手方向両端において開口し、かつ全長に亘って短手方向の一方に開口させた収容凹所１１を設けた構成とされている。
この収容凹所１１は、ベース部材１０の全長に亘って凹溝状に設けられており、上記した機能部材２０を収容可能なように機能部材２０の外郭形状に対応させて形成されている。
【００２８】
また、本実施形態では、ベース部材１０は、取付対象面２に沿うように配設される第１片部１２とこの第１片部１２に直交状に形成された第２片部１３と、を備えている。また、収容凹所１１を、これら第１片部１２と第２片部１３との隅部に、これら両片部１２，１３に対して斜め状に形成され、機能部材２０が当接される傾斜面部を構成する傾斜底片部１６を底部とし、この傾斜底片部１６（の内側面）に直交する方向に向けて開口させている。つまり、収容凹所１１の開口方向を、取付対象面２の面域方向に平行な方向や直交する方向とせずに、取付対象面２に対して斜め方向としている。
【００２９】
傾斜底片部１６は、第１片部１２と第２片部１３とを接続するように、かつこれらに連なるように設けられている。
この傾斜底片部１６の内側面が傾斜面部を構成し、この内側面に、図３（ａ）に示すように、上記した機能部材２０の底側面部２３が当接される。また、これに連なる第１片部１２及び第２片部１３の内側面に、上記した機能部材２０の上記両側の角部の傾斜面がそれぞれに当接される。なお、機能部材２０の両側の角部の傾斜面を第１片部１２及び第２片部１３の内側面に当接させる態様に代えて、一方のみを当接させる態様としてもよい。例えば、第１片部１２の内側面に、機能部材２０の底側面部２３と他方側面部２５との角部の傾斜面が当接される構成としてもよい（図２参照）。
また、本実施形態では、これら第１片部１２及び第２片部１３と傾斜底片部１６とのなす角度が１３５度となるように傾斜底片部１６を設けている。つまり、収容凹所１１の開口方向と取付対象面２とのなす角度が４５度となるように傾斜底片部１６を設けている。なお、この収容凹所１１の開口方向と取付対象面２とのなす角度は、他の角度としてもよく、例えば、１５度〜７５度程度としてもよく、３０度〜６０度程度としてもよい。
【００３０】
また、本実施形態では、ベース部材１０を、第１片部１２及び第２片部１３のそれぞれに直交状に形成された第３片部１４及び第４片部１５を有したものとしている。また、これら片部１２，１３，１４，１５によって長手方向に見て概ね四角形状の外郭形状を構成している。本実施形態では、ベース部材１０の長手方向に見た外郭形状が概ね四角形状とされた機能部材２０の四角部を、ベース部材１０の各片部１２，１３，１４，１５に当接させるようにして、言わばベース部材１０に内接状に配置した構成としている。
本実施形態では、これら片部１２，１３，１４，１５によって長手方向に見て概ね正方形状の外郭形状を構成している。このベース部材１０の長手方向に見た外郭形状の寸法（上記正方形の一辺に相当する寸法）は、当該ベース部材１０に組み込まれる機能部材２０が有する機能等に応じて、また、見栄え上の観点等から適宜、設定するようにしてもよい。例えば、２０ｍｍ〜２００ｍｍ程度としてもよく、好ましくは、２０ｍｍ〜１００ｍｍ程度としてもよい。
また、収容凹所１１の開口側の隅部を除いた当該ベース部材１０の三隅部のうちの少なくとも一つに、機能部材２０を保持する保持部１６ａ、配線スペース１８及び当該ベース部材１０を取付対象面２に取り付ける取付部１４ａのうちの少なくとも一つを設けている。
【００３１】
本実施形態では、第１片部１２と第２片部１３との隅部となる傾斜底片部１６に保持部１６ａを設けている。また、本実施形態では、この保持部１６ａを、上記した機能部材２０のボス状部２６に対応させて形成された止具４が挿通される止具孔１６ａとしている。この止具孔１６ａを介してベース部材１０の傾斜底片部１６の外側から機能部材２０のボス状部２６に止具４を止着することでベース部材１０に対して機能部材２０が保持される。
この止具孔１６ａは、機能部材２０のボス状部２６に対応させた位置となるようにベース部材１０の長手方向に沿って間隔を空けて複数箇所に設けるようにしてもよい。また、このような止具孔１６ａに代えて、止具４の止着箇所の目印となる凹溝等を傾斜底片部１６の外側面に設けた態様としてもよい。
なお、ベース部材１０の保持部及び機能部材２０の被保持部としては、このような止具４が挿通される止具孔や止着穴に限られない。例えば、ベース部材１０及び機能部材２０に、互いに係止する係止部等を設けた態様としてもよい。
【００３２】
また、本実施形態では、第２片部１３とこの第２片部１３に直交状にかつ連なるように形成された第４片部１５との入隅部を、配線スペース１８としている。この配線スペース１８は、これら第２片部１３及び第４片部１５と、収容凹所１１に組み込まれた状態の機能部材２０の一方側面部２４と、によって区画されている。なお、ベース部材１０の適所に、この配線スペース１８に連通するように配線を通すための通線孔等を設けてもよい。
第４片部１５は、短手方向一方向に開口する収容凹所１１の開口両側縁の一方縁を構成し、その開口縁となる反第２片部側端部が機能部材２０の一方側面部２４とカバー部２７との角部に当接される構成とされている。本実施形態では、カバー部２７の鍔部２８の裏面に第４片部１５の反第２片部側端部を当接させた構成としている。
【００３３】
また、本実施形態では、第１片部１２の反傾斜底片部側の端部に、該端部から収容凹所１１の開口方向と同方向に向けて延びるように設けられ、収容凹所１１の溝幅方向一方の内側面を形成する傾斜側片部１７を連なるように設けている。
この傾斜側片部１７の内側面に、機能部材２０の他方側面部２５が当接される。つまり、本実施形態では、ベース部材１０に、機能部材２０の底側面部２３が当接される傾斜底片部１６と機能部材２０の底側面部２３に直交状とされた他方側面部２５が当接される傾斜側片部１７とを設けている。このような構成とすれば、ベース部材１０の収容凹所１１に対する機能部材２０の収容凹所１１の短手開口方向及び短手開口の幅方向への位置決めを容易かつ確実に行うことができる。
【００３４】
この傾斜側片部１７の反第１片部側端部に、該端部から取付対象面２に向けて突出するように第３片部１４を連なるように設けている。これら第３片部１４と傾斜側片部１７との角部が、短手方向一方向に開口する収容凹所１１の開口両側縁の他方縁を構成し、この角部が機能部材２０の他方側面部２５とカバー部２７との角部に当接される構成とされている。本実施形態では、カバー部２７の鍔部２８の裏面にこれら第３片部１４と傾斜側片部１７との角部を当接させた構成としている。このような構成により、本実施形態では、ベース部材１０に組み込まれた機能部材２０のカバー部２７がベース部材１０の収容凹所１１の短手開口を覆うように配設される構成とされている。また、このカバー部２７の表面が取付対象面２に対して斜め４５度に傾斜するような構成とされている。
【００３５】
また、これら傾斜側片部１７と第３片部１４とは、互いのなす角度が４５度となるように形成されている。
また、これら傾斜側片部１７と第３片部１４とによって取付対象面２側に向けて開口する三角溝状の凹所を区画している。
また、第３片部１４は、取付対象面側端部が取付対象面２に当接または近接するように形成されている。
【００３６】
また、本実施形態では、第１片部１２と第３片部１４との隅部に、当該ベース部材１０を取付対象面２に取り付ける取付部１４ａを設けている。つまり、本実施形態では、保持部１６ａ、配線スペース１８及び取付部１４ａを、ベース部材１０の収容凹所１１の開口側の隅部を除いた各隅部に設けている。
本実施形態では、ベース部材１０を取付対象面２に取り付けるための取付部材３０を備えており、取付部１４ａを、この取付部材３０に対する取付部としている。
【００３７】
取付部材３０は、ベース部材１０と取付対象面２との間に配設され、取付対象面２に沿って固定される固定片部３１を備えている。また、取付部材３０は、この固定片部３１に連成され、第３片部１４の内側面に沿わせられて取付部１４ａとしての止具孔１４ａを介して止着される止具６によって第３片部１４と締結される取付片部３２を備えている。
本実施形態では、図３に示すように、互いに薄板状とされた固定片部３１と取付片部３２とを互いに直交状に設け、ベース部材１０の長手方向に沿う方向に見た取付部材３０の断面形状を、略Ｌ字状としている。また、本実施形態では、図１に示すように、取付部材３０を、ベース部材１０の長さ寸法と概ね同寸法とされた長尺状としている。
【００３８】
固定片部３１は、図３（ａ）に示すように、取付対象面２とベース部材１０の第１片部１２との間に配設され、これら取付対象面２及びベース部材１０の第１片部１２の外側面にそれぞれ当接される。
この固定片部３１は、ベース部材１０の第３片部１４の内側面に直交する短手方向に沿う寸法が、ベース部材１０の第３片部１４の内側面から第２片部１３の外側面までのこれらに直交する方向に沿う寸法よりも小さい寸法とされている。これにより、当該取付部材３０を介して取付対象面２にベース部材１０を取り付けた状態ではベース部材１０によって固定片部３１の略全体が覆われ、固定片部３１を目立ち難くすることができる。
【００３９】
また、固定片部３１には、止具５が挿通される止具孔３１ａが設けられている。この止具孔３１ａは、固定片部３１（取付部材３０）の長手方向に沿って間隔を空けて複数箇所に設けるようにしてもよい。この止具孔３１ａを介して取付対象面２の下地等に止着された止具５によって当該取付部材３０が取付対象面２に固定される。また、上記した傾斜側片部１７と第３片部１４とによって形成された三角溝状の凹所に、この止具５の頭部を受入可能としている。なお、このような止具孔３１ａに代えて、止具５の止着箇所の目印となる凹溝等を固定片部３１の表面に設けた態様としてもよい。
【００４０】
取付片部３２は、上記した傾斜側片部１７と第３片部１４とによって形成された三角溝状の凹所に差し込まれるように配設され、第３片部１４の内側面に当接される。
また、取付片部３２には、止具６が止着される止具孔３２ａが設けられている。この止具孔３２ａは、ベース部材１０の第３片部１４に取付部１４ａとして設けられた止具孔１４ａに応じた位置となるように設けられている。
第３片部１４の止具孔１４ａは、図２に示すように、ベース部材１０の長手方向に沿って間隔を空けて複数箇所に設けられている。また、図例では、この第３片部１４の止具孔１４ａを、皿穴状とした例を示している。この第３片部１４の止具孔１４ａを介して第３片部１４の外側から取付片部３２の止具孔３２ａに止着された止具６によって第３片部１４と取付片部３２とが締結され、ベース部材１０が取付対象面２に取付部材３０を介して取り付けられる構成とされている。また、上記した傾斜側片部１７と第３片部１４とによって形成された三角溝状の凹所に、この止具６の先端部を受入可能としている。
【００４１】
また、本実施形態では、ベース部材１０に、第３片部１４とによって取付片部３２を挟むように保持し、ベース部材１０を取付部材３０に仮保持させる仮保持片部１９を設けている。
この仮保持片部１９は、図３に示すように、傾斜側片部１７の短手方向途中部位から第３片部１４に向けて突出するように形成されている。図例では、仮保持片部１９を、傾斜側片部１７に対して直交状に突出させ、その先端部を、取付対象面２側に向けて屈曲させたような形状としている。この仮保持片部１９と第３片部１４との間に、取付対象面２に固定された取付部材３０の取付片部３２が差し込まれ、当該ベース部材１０（機能部材２０を組み込んだベース部材１０）が仮保持される構成とされている。
【００４２】
なお、本実施形態では、取付部材３０を、ベース部材１０の長手方向に沿って長尺状とした例を示しているが、このような態様に限られない。例えば、ベース部材１０の長手方向に沿う寸法が比較的に小さく形成された複数の取付部材３０を備えた態様としてもよい。この場合は、これら複数の取付部材３０を、ベース部材１０の長手方向に間隔を空けて取付対象面２に固定するようにしてもよい。このような構成とすれば、取付部材３０の施工性を向上させることができる。また、これら複数の取付部材３０にベース部材１０（機能部材２０を組み込んだベース部材１０）を仮保持させることで、ベース部材１０（機能部材２０を組み込んだベース部材１０）の施工性を向上させることができる。
【００４３】
また、取付部材３０及びベース部材１０は、合成樹脂系材料や金属系材料等から上記形状に一体的に形成されたものとしてもよい。また、ベース部材１０は、射出成型や押出成型されたものとしてもよく、例えば、長手方向に沿って押出成型されたものとしてもよい。このような成形態様とすれば、長手方向に見た断面形状が長手方向の全長に亘って一様な形状とされたベース部材１０を効率的に製造することができる。
【００４４】
また、本実施形態では、設備装置１は、図３に示すように、ベース部材１０の第４片部１５に沿うように配設される板状の幕板状部材３３を備えている。この幕板状部材３３は、ベース部材１０の長手方向の全長に亘る長さ寸法とされたものとしてもよい。また、図例では、機能部材２０のカバー部２７の鍔部２８の第４片部１５側の端部に当接させるように、幕板状部材３３を配設し、この幕板状部材３３を、第４片部１５に沿う鍔部２８の外側面と略同一面状となるような厚さとした例を示している。
なお、設備装置１は、ベース部材１０の長手方向両端部または長手方向一端部の開口を覆うエンドキャップを更に備えた構成としてもよい。
また、上記構成とされた設備装置１は、機能部材２０をベース部材１０の収容凹所１１に組み込んだ状態で、取付部材３０を介して取付対象面２に取り付けるようにしてもよい。
【００４５】
本実施形態に係る設備装置１は、上述のような構成としたことで、相異なる機能を有した設備装置１同士の外観の統一性を図ることができる。
つまり、ベース部材１０の長手方向に見た断面形状を、長手方向の全長に亘って一様な形状としている。また、このベース部材１０に設けられた収容凹所１１に、ベース部材１０の長手方向に沿う方向に見た外郭形状が互いに同形状とされ、それぞれに異なる機能を有する複数の機能部材２０，２０Ａ，２０Ｂのうちの少なくとも一つの機能部材２０，２０Ａ，２０Ｂを組み込んだ構成としている。従って、複数の設備装置１のそれぞれのベース部材１０の収容凹所１１に、相異なる機能を有した機能部材２０，２０Ａ，２０Ｂを組み込んだ場合にも、これら設備装置１同士の外観を、概ね同一にすることができ、相異なる機能を有した設備装置１同士の外観の統一性を図ることができる。また、ベース部材１０の製造効率や取扱性等を向上させることができ、設備装置１自体の取扱性や施工性を向上させることもできる。また、ベース部材１０の長さ寸法を調整することで、設備装置１自体の長さを容易に変更するようなことも可能となる。つまりは、外観の統一性を図りながらも、設置場所や趣向等に応じた機能を有した機能部材２０，２０Ａ，２０Ｂを組み込んだ設備装置１を容易に実現することができ、汎用性を向上させることができる。
【００４６】
また、本実施形態では、ベース部材１０の収容凹所１１を、ベース部材１０の短手方向に沿って機能部材２０，２０Ａ，２０Ｂを受入可能なように短手方向一方に向けて開口させている。従って、長尺状とされたベース部材１０の収容凹所１１の長手方向に沿って機能部材２０，２０Ａ，２０Ｂを組み込む必要があるようなものと比べて組付性を向上させることができる。また、機能部材２０，２０Ａ，２０Ｂに配線等が必要な場合にも配線作業性を向上させることもできる。
【００４７】
また、本実施形態では、ベース部材１０の収容凹所１１の底部を、第１片部１２と第２片部１３との隅部に、これら両片部に対して斜め状に形成され、機能部材２０，２０Ａ，２０Ｂが当接される傾斜面部（傾斜底片部）１６としている。また、収容凹所１１を、傾斜底片部１６に直交する方向に開口させている。従って、ベース部材１０の収容凹所１１が取付対象面２に対して斜め状に開口することとなり、また、傾斜底片部１６に当接されて組み込まれた機能部材２０，２０Ａ，２０Ｂが収容凹所１１の開口において露出することとなる。これにより、取付対象面２としての壁面２の適宜の高さ位置や天井面３に長手方向を水平方向に沿わせて配設される設備装置１として好適なものとなる。つまり、例えば、機能部材２０，２０Ａ，２０Ｂとしての照明部の照射方向や、検知部の検知方向、撮像部の撮像方向、集音部の集音方向等を、取付対象面２に対して斜め方向とすることができる。
【００４８】
また、本実施形態では、機能部材２０，２０Ａ，２０Ｂのベース部材１０の長手方向に沿う方向に見た外郭形状を、傾斜底片部１６に当接される底側面部２３を一辺とする概ね四角形状としている。また、ベース部材１０を、第１片部１２、第２片部１３、第３片部１４及び第４片部１５によって長手方向に見て概ね四角形状の外郭形状を構成するものとしている。また、収容凹所１１の開口側の隅部を除いたベース部材１０の三隅部のうちの少なくとも一つに、機能部材２０，２０Ａ，２０Ｂを保持する保持部１６ａ、配線スペース１８及びベース部材１０を取付対象面２に取り付ける取付部１４ａのうちの少なくとも一つを設けている。従って、上記のように機能部材２０，２０Ａ，２０Ｂを斜め状に収容凹所１１に収容させた構造とし、ベース部材１０の長手方向に見た形状のコンパクト化を図りながらも、保持部１６ａ、配線スペース１８及び取付部１４ａのうちの少なくとも一つを効率的に設けることができる。
【００４９】
また、本実施形態では、上記のように、収容凹所１１の開口側の隅部を除いたベース部材１０の三隅部に、それぞれ保持部１６ａ、配線スペース１８及び取付部１４ａを設けている。従って、これらを目立ち難くさせながらも、ベース部材１０の設置スペースを効率的に利用することができ、ベース部材１０の長手方向に見た形状のコンパクト化をより図ることができる。
なお、このような態様に代えて、収容凹所１１の開口側の隅部を除いたベース部材１０の三隅部のうちの少なくとも一つに、保持部１６ａ、配線スペース１８及び取付部１４ａのうちの少なくとも一つを設けるようにしてもよい。さらには、このような保持部１６ａ、配線スペース１８及び取付部１４ａを、ベース部材１０の別部位に設けるようにしてもよい。
【００５０】
また、本実施形態では、ベース部材１０の第３片部１４に取付部としての止具孔１４ａを設けた構成とし、ベース部材１０を取付対象面２に取り付ける取付部材３０を備えた構成としている。従って、取付部材３０の固定片部３１を取付対象面２に固定し、取付部材３０の取付片部３２とベース部材１０の第３片部１４とを止具６によって締結することで、ベース部材１０を取付対象面２に取り付けることができる。これにより、機能部材２０，２０Ａ，２０Ｂを組み込んだ状態のベース部材１０を見栄え良く取付対象面２に取り付けることができる。つまり、上記のようにベース部材１０の長手方向に見た形状をコンパクトにした場合において機能部材２０，２０Ａ，２０Ｂを組み込んだ状態では、ベース部材１０を取付対象面２に取り付けるための止具等の止着箇所を形成し難くなることが考えられる。このような場合にも、別部材の取付部材３０を介して機能部材２０，２０Ａ，２０Ｂを組み込んだ状態のベース部材１０を取付対象面２に取り付けることができる。また、取付部材３０の固定片部３１は、ベース部材１０と取付対象面２との間に配設され、取付部材３０の取付片部３２は、第３片部１４の内側面に沿わせられる。従って、設備装置１を取付対象面２に取り付けた状態では、取付部材３０が露出するようなことがなく、見栄え良く取り付けることができる。
【００５１】
なお、上記のような取付部材３０を備えた構成に代えて、ベース部材１０を取付対象面２に直接的に取り付ける態様としてもよい。
また、ベース部材１０の長手方向に見た外郭形状は、上記のような形状に限られず、概ね三角形状や扇形状、半円形状等としてもよく、また、その他の多角形状等としてもよい。
また、機能部材２０，２０Ａ，２０Ｂのベース部材１０の長手方向に沿う方向に見た外郭形状も、上記のような形状に限られず、例えば、概ね三角形状や扇形状、半円形状、円形状等としてもよく、また、その他の多角形状等としてもよい。
また、本実施形態では、ベース部材１０の第１片部１２と第２片部１３との隅部に傾斜面部を構成する傾斜底片部１６を設け、収容凹所１１を傾斜底片部１６に直交する方向に開口させた構成とした例を示しているが、このような態様に限られない。例えば、収容凹所１１を、第１片部１２の内側面に直交する方向や第２片部１３の内側面に直交する方向等の短手方向の他方向に開口させた態様としてもよい。
また、本実施形態では、ベース部材１０の収容凹所１１を、当該ベース部材１０の短手方向に沿って機能部材２０，２０Ａ，２０Ｂを受入可能な構成とした例を示しているが、このような態様に限られない。例えば、ベース部材１０の長手方向端部の開口を介してベース部材１０の長手方向に沿ってスライドさせるように機能部材２０，２０Ａ，２０Ｂを組み込み可能とした構成としてもよい。
【符号の説明】
【００５２】
１                    設備装置
１０                  ベース部材
１１                  収容凹所
１２                  第１片部
１３                  第２片部
１４                  第３片部
１４ａ                止具孔（取付部）
１５                  第４片部
１６                  傾斜底片部（傾斜面部）
１６ａ                止具孔（保持部）
１８                  配線スペース
２０，２０Ａ，２０Ｂ  機能部材
２３                  底側面部
３０                  取付部材
３１                  固定片部
３２                  取付片部
２                    取付対象面
６                    止具
【図１】
2015019228.tif 000003
【図２】
2015019228.tif 000004
【図３】
2015019228.tif 000005